【手続補正書】
【提出日】令和2年1月9日(2020.1.9)
【手続補正１】
【補正対象書類名】特許請求の範囲
【補正対象項目名】全文
【補正方法】変更
【補正の内容】
【特許請求の範囲】
【請求項１】
複数のアクセスノードクラスタと複数のユーザ端末との間の通信を提供するための衛星であって、前記複数のアクセスノードクラスタの各アクセスノードクラスタが、対応するアクセスノードエリア内に地理的に分布した複数のアクセスノードを備え、前記複数のユーザ端末が、ユーザカバーエリアにわたって地理的に分布し、前記衛星が、
前記複数のアクセスノードクラスタに照射するためのフィーダリンク要素アレイを備えるフィーダリンクアンテナサブシステムであって、前記フィーダリンク要素アレイが、協働フィーダリンク構成伝送要素のアレイ及び協働フィーダリンク構成受信要素のアレイを備える、フィーダリンクアンテナサブシステムと、
前記ユーザカバーエリアに照射するためのユーザリンク要素アレイを備えるユーザリンクアンテナサブシステムであって、前記ユーザリンク要素アレイが、協働ユーザリンク構成伝送要素のアレイ及び協働ユーザリンク構成受信要素のアレイを備える、ユーザリンクアンテナサブシステムと、
前記フィーダリンク構成受信要素のそれぞれ１つと前記ユーザリンク構成伝送要素のそれぞれの１つとの間に各々が結合される、複数の往路リンクトランスポンダと、
前記ユーザリンク構成受信要素のそれぞれ１つと前記フィーダリンク構成伝送要素のそれぞれ１つとの間に各々が結合される、複数の復路リンクトランスポンダと、を備える、衛星。
【請求項２】
前記フィーダリンク要素アレイが、前記複数のアクセスノードクラスタのうちの第１の１つに照射する第１の一組のフィーダリンク要素と、前記複数のアクセスノードクラスタのうちの第２の１つに照射する第２の一組のフィーダリンク要素とを備える、請求項１に記載の衛星。
【請求項３】
前記複数の往路リンクトランスポンダの第１のサブセットの入力が、前記第１の一組のフィーダリンク要素のそれぞれのフィーダリンク構成受信要素と結合され、前記複数の往路リンクトランスポンダの第２のサブセットの入力が、前記第２の一組のフィーダリンク要素のそれぞれのフィーダリンク構成受信要素と結合される、請求項２に記載の衛星。
【請求項４】
前記複数の往路リンクトランスポンダの前記第１のサブセットの出力が、第１の一組のユーザリンク要素のユーザリンク構成伝送要素と結合され、前記複数の往路リンクトランスポンダの前記第２のサブセットの出力が、第２の一組のユーザリンク要素のユーザリンク構成伝送要素と結合される、請求項３に記載の衛星。
【請求項５】
前記第１の一組のフィーダリンク要素が、第１の周波数範囲にわたって前記複数のアクセスノードクラスタの前記第１の１つに照射し、前記第２の一組のフィーダリンク要素が、第２の周波数範囲にわたって前記複数のアクセスノードクラスタの前記第２の１つに照射し、前記第２の周波数範囲が、前記第１の周波数範囲と重ならない、請求項３に記載の衛星。
【請求項６】
前記複数の往路リンクトランスポンダの前記第１のサブセットが、前記第１の周波数範囲にわたる第１の往路入力信号を、第３の周波数範囲の第１の出力信号に変換する、第１の往路周波数変換器を備え、
前記複数の往路リンクトランスポンダの第２のサブセットが、第２の周波数範囲にわたる第２の入力信号を、前記第３の周波数範囲にわたる第２の出力信号に変換する、第２の往路周波数変換器を備える、請求項５に記載の衛星。
【請求項７】
前記複数の復路リンクトランスポンダの第１のサブセットの入力が、前記第１の一組のユーザリンク要素のそれぞれのユーザリンク構成受信要素と結合され、前記複数の復路リンクトランスポンダの第２のサブセットの入力が、前記第２の一組のユーザリンク要素のそれぞれのユーザリンク構成受信要素に結合される、請求項６に記載の衛星。
【請求項８】
前記複数の復路リンクトランスポンダの前記第１のサブセットが、前記第３の周波数範囲にわたる第１の復路入力信号を、前記第１の周波数範囲にわたる第１の復路出力信号に変換する、第１の復路周波数変換器を備え、
前記複数の復路リンクトランスポンダの前記第２のサブセットが、前記第３の周波数範囲にわたる第２の復路入力信号を、前記第２の周波数範囲にわたる第２の復路出力信号に変換する、第２の復路周波数変換器を備える、請求項７に記載の衛星。
【請求項９】
前記複数の往路リンクトランスポンダが、前記複数の往路リンクトランスポンダの入力を、前記第１の一組のフィーダリンク要素又は前記第２の一組のフィーダリンク要素のいずれかのそれぞれの協働フィーダリンク構成受信要素に選択的に結合させる、それぞれの往路リンク受信要素スイッチを備える、請求項２に記載の衛星。
【請求項１０】
前記ユーザリンク要素アレイが、前記ユーザカバーエリアの第１の部分に照射する第１のユーザリンク要素アレイと、前記ユーザカバーエリアの第２の部分に照射する第２のユーザリンク要素アレイとを備え、
前記複数の往路リンクトランスポンダが、前記複数の往路リンクトランスポンダの出力を、前記第１のユーザリンク要素アレイ又は前記第２のユーザリンク要素アレイのいずれかのそれぞれの協働ユーザリンク構成伝送要素に選択的に結合させる、それぞれの往路リンク伝送要素スイッチを備える、請求項１に記載の衛星。
【請求項１１】
前記複数のアクセスノードクラスタのうちの前記第１の１つの前記対応するアクセスノードエリアが、前記ユーザカバーエリアの前記第２の部分と重ならず、前記複数のアクセスノードクラスタのうちの前記第２の１つの前記対応するアクセスノードエリアが、前記ユーザカバーエリアの前記第１の部分と重ならない、請求項１０に記載の衛星。
【請求項１２】
前記複数の復路リンクトランスポンダが、前記複数の復路リンクトランスポンダの出力を、前記第１のフィーダリンク要素アレイ又は前記第２のフィーダリンク要素アレイのいずれかのそれぞれの協働フィーダリンク構成伝送要素に結合させる、それぞれの復路リンク伝送要素スイッチを備える、請求項２に記載の衛星。
【請求項１３】
前記ユーザリンク要素アレイが、前記ユーザカバーエリアの第１の部分に照射する第１のユーザリンク要素アレイと、前記ユーザカバーエリアの第２の部分に照射する第２のユーザリンク要素アレイとを備え、
前記複数の復路リンクトランスポンダが、前記複数の復路リンクトランスポンダの入力を、前記第１のユーザリンク要素アレイ又は前記第２のユーザリンク要素アレイのいずれかのそれぞれの協働ユーザリンク構成受信要素に選択的に結合させる、それぞれの復路リンク受信要素スイッチを備える、請求項１２に記載の衛星。
【請求項１４】
前記フィーダリンクアンテナサブシステムが、単一の反射器を備え、
前記第１の一組のフィーダリンク要素が、前記単一反射器を介して、前記複数のアクセスノードクラスタの前記第１の１つに照射し、前記第２の一組のフィーダリンク要素が、前記単一反射器を介して、前記複数のアクセスノードクラスタの前記第２の１つに照射する、請求項２に記載の衛星。
【請求項１５】
前記第１の一組のフィーダリンク要素及び前記第２の一組のフィーダリンク要素が、単一のフィーダリンク要素アレイ内に配置される、請求項１４に記載の衛星。
【請求項１６】
前記第１の一組のフィーダリンク要素が、第１の反射器を介して、前記複数のアクセスノードクラスタのうちの前記第１の１つに照射し、前記第２の一組のフィーダリンク要素が、第２の反射器を介して、前記複数のアクセスノードクラスタのうちの前記第２の１つに照射する、請求項２に記載の衛星。
【請求項１７】
複数の受信／伝送信号経路を備えるエンドツーエンドリレーを介して、ユーザカバーエリアにわたって地理的に分布したユーザ端末に通信サービスを提供するための方法であって、
複数の協働フィーダリンク構成受信要素によって、一組のアクセスノードによって伝送される複数の往路アップリンク信号の重畳されたものである複合入力往路信号を受信することであって、前記一組のアクセスノードが、複数のアクセスノードクラスタのうちの少なくとも１つのアクセスノードを備え、前記複数のアクセスノードクラスタの各々が、複数のアクセスノードエリアのうちの対応する１つの中の地理的に分布した場所に複数のアクセスノードを備える、受信することと、
前記複数の受信／伝送信号経路を介して、前記複合入力往路信号から複数の往路ダウンリンク信号を発生させることと、
複数の協働ユーザリンク構成伝送要素によって、前記複数の往路ダウンリンク信号を伝送することであって、前記往路ダウンリンク信号が、複数の前記ユーザ端末に伝送される、伝送することと、を含む、方法。
【請求項１８】
前記複数の協働フィーダリンク構成受信要素が、前記複数のアクセスノードクラスタのうちの第１の１つに照射する第１の一組の協働フィーダリンク構成受信要素と、前記複数のアクセスノードクラスタのうちの第２の１つに照射する第２の一組の協働フィーダリンク構成受信要素とを備える、請求項１７に記載の方法。
【請求項１９】
前記第１の一組の協働フィーダリンク構成受信要素が、第１の周波数範囲にわたって前記複合入力往路信号の第１のサブセットを受信し、前記第２の一組の協働フィーダリンク構成受信要素が、第２の周波数範囲にわたって前記複合入力往路信号の第２のサブセットを受信し、前記第２の周波数範囲が、前記第１の周波数範囲と重ならない、請求項１８に記載の方法。
【請求項２０】
前記複数の往路ダウンリンク信号の前記発生が、前記複数の往路ダウンリンク信号の第１のサブセットを取得するために、前記複合入力往路信号の前記第１のサブセットを、前記第１の周波数範囲から第３の周波数範囲に周波数変換することと、前記複数の往路ダウンリンク信号の第２のサブセットを取得するために、前記複合入力往路信号の前記第２のサブセットを、前記第２の周波数範囲から前記第３の周波数範囲に周波数変換することとを含む、請求項１９に記載の方法。
【請求項２１】
複数の往路リンクトランスポンダの入力を、前記第１の一組の協働フィーダリンク構成受信要素又は前記第２の一組の協働フィーダリンク構成受信要素のいずれかのそれぞれの協働フィーダリンク構成受信要素に選択的に結合させることを更に含む、請求項１８に記載の方法。
【請求項２２】
前記複数の協働ユーザリンク構成伝送要素が、前記ユーザカバーエリアの第１の部分に照射する第１の一組の協働ユーザリンク構成伝送要素と、前記ユーザカバーエリアの第２の部分に照射する第２の一組の協働ユーザリンク構成伝送要素とを備え、前記方法が、
前記複数の往路リンクトランスポンダの出力を、前記第１の一組の協働ユーザリンク構成伝送要素又は前記第２の一組の協働ユーザリンク構成伝送要素のいずれかのそれぞれの協働ユーザリンク構成伝送要素に選択的に結合させることを更に含む、請求項２１に記載の方法。
【請求項２３】
前記複数のアクセスノードクラスタのうちの前記第１の１つの前記対応するアクセスノードエリアが、前記ユーザカバーエリアの前記第２の部分と重ならず、前記複数のアクセスノードクラスタのうちの前記第２の１つの前記対応するアクセスノードエリアが、前記ユーザカバーエリアの前記第１の部分と重ならない、請求項２２に記載の方法。
【請求項２４】
複数の受信／伝送信号経路を備えるエンドツーエンドリレーを介して、ユーザカバーエリアにわたって地理的に分布したユーザ端末に通信サービスを提供するための方法であって、
前記複数のユーザ端末の少なくともいくつかから、複数の協働ユーザリンク構成受信要素によって、復路アップリンク信号を受信することと、
前記受信復路アップリンク信号から複数の復路ダウンリンク信号を発生させることと、
複数の協働フィーダリンク構成伝送要素によって、前記複数の復路ダウンリンク信号を一組のアクセスノードに伝送することであって、前記一組のアクセスノードが、複数のアクセスノードクラスタのうちの少なくとも１つのアクセスノードを備え、前記複数のアクセスノードクラスタの各々が、複数のアクセスノードエリアのうちの対応する１つの中の地理的に分布した場所に複数のアクセスノードを備える、伝送することと、を含む、方法。
【請求項２５】
前記複数の協働フィーダリンク構成伝送要素が、前記複数のアクセスノードクラスタのうちの第１の１つに照射する第１の一組の協働フィーダリンク構成伝送要素と、前記複数のアクセスノードクラスタのうちの第２の１つに照射する第２の一組の協働フィーダリンク構成伝送要素とを備える、請求項２４に記載の方法。
【請求項２６】
前記第１の一組の協働フィーダリンク構成伝送要素が、第１の周波数範囲にわたって前記複数の復路ダウンリンク信号の第１のサブセットを伝送し、前記第２の一組の協働フィーダリンク構成伝送要素が、第２の周波数範囲にわたって前記複数の復路ダウンリンク信号の第２のサブセットを伝送し、前記第２の周波数範囲が、前記第１の周波数範囲と重ならない、請求項２５に記載の方法。
【請求項２７】
前記複数の復路ダウンリンク信号の前記発生が、前記複数の復路ダウンリンク信号の前記第１のサブセットを取得するために、前記復路アップリンク信号の第１のサブセットを、第３の周波数範囲から前記第１の周波数範囲に周波数変換することと、前記複数の復路ダウンリンク信号の前記第２のサブセットを取得するために、前記復路アップリンク信号の第２のサブセットを、前記３の周波数範囲から前記第２の周波数範囲に周波数変換することとを含む、請求項２６に記載の方法。
【請求項２８】
複数の復路リンクトランスポンダの出力を、前記第１の一組の協働フィーダリンク構成伝送要素又は前記第２の一組の協働フィーダリンク構成伝送要素のいずれかのそれぞれの協働フィーダリンク構成伝送要素に選択的に結合させることを更に含む、請求項２５に記載の方法。
【請求項２９】
前記複数の協働ユーザリンク構成受信要素が、前記ユーザカバーエリアの第１の部分に照射する第１の一組の協働ユーザリンク構成受信要素と、前記ユーザカバーエリアの第２の部分に照射する第２の一組の協働ユーザリンク構成受信要素とを備え、前記方法が、
前記複数の復路リンクトランスポンダの入力を、前記第１の一組の協働ユーザリンク構成受信要素又は前記第２の一組の協働ユーザリンク構成受信要素のいずれかのそれぞれの協働ユーザリンク構成受信要素に選択的に結合させることを更に含む、請求項２８に記載の方法。
【請求項３０】
前記複数のアクセスノードクラスタのうちの前記第１の１つの前記対応するアクセスノードエリアが、前記ユーザカバーエリアの前記第２の部分と重ならず、前記複数のアクセスノードクラスタのうちの前記第２の１つの前記対応するアクセスノードエリアが、前記ユーザカバーエリアの前記第１の部分と重ならない、請求項２９に記載の方法。